(57)【要約】【課題】携帯性に優れ、持ち運びが容易であるとともに、封筒を容易に開封することができる開封具を提供すること。【解決手段】封筒３６を開封するための刃部材６と、刃部材６を収容するケース本体４とを備えた開封具。刃部材６は、ケース本体４に対して斜め方向に、ケース本体４に収容される収納位置とケース本体６の一側面から突出する開封位置との間を斜め方向に移動自在にケース本体４に装着され、刃部材６の刃部４０が斜め方向に延びている。【選択図】      図１
2004345336.tif 000002
【特許請求の範囲】
【請求項１】
封筒を開封するための刃部材と、前記刃部材を収容するケース本体と、を備え、前記刃部材は、前記ケース本体に対して斜め方向に、前記ケース本体に収容される収納位置と前記ケース本体の一側面から突出する開封位置との間を前記斜め方向に移動自在に前記ケース本体に装着され、前記刃部材の刃部が前記斜め方向に延びていることを特徴とする封筒の開封具。
【請求項２】
前記ケース本体には、前記刃部材を前記収納位置に向けて弾性的に偏倚する弾性偏倚手段が装着されている請求項１に記載の封筒の開封具。
【請求項３】
前記ケース本体には、前記刃部材の移動経路の一部を貫通して孔が設けられている請求項２に記載の封筒の開封具。
【請求項４】
前記ケース本体の前記一側面は略Ｖ字状に形成され、その幅方向両端から中央部に向けて凹状に傾斜しており、前記刃部材は前記ケース本体の前記一側面の底部に配設されている請求項１〜３のいずれかに記載の封筒の開封具。
【請求項５】
前記ケース本体には、前記刃部材を覆うためのカバー部材が設けられている請求項１〜４のいずれかに記載の封筒の開封具。
【発明の詳細な説明】
【０００１】
【発明の属する技術分野】
本発明は、封筒を開封するための開封具に関する。
【０００２】
【従来の技術】
手紙、書類、雑誌などを収容した封筒を開封するには、通常、ハサミ、ペーパナイフなどが用いられており、ハサミを用いて開封する場合、封筒の上端部を切断して開封するようになり、ペーパナイフを用いて開封する場合、その先端部を折曲封部の間隙に挿入し、この折曲封部を切断して開封するようになる。また、回転自在に支持された円形状の刃部材とローラ状の受け部材とを備え、刃部材による切断作用によって封筒を開封するようにした開封具も提案されている（例えば、特許文献１参照）。この開封具では、開封すべき封筒は刃部材と受け部材との間に挿入され、封筒の挿入方向の移動に伴って刃部材及び受け部材が回動され、回動する刃部材の切断作用によって封筒の一端部が切断れて開封される。
【０００３】
【特許文献１】
特開平９−３９４９６号公報
【０００４】
【発明が解決しようとする課題】
封筒の開封にハサミ、ペーパナイフなどを用いる場合、ハサミ、ペーパナイフなどはそれ自体比較的大きく、携帯性が良いと言えず、鞄などに入れて持ち運ぶのに好ましくない。また、専用の開封具を用いる場合、開封具もそれ自体大きく、ハサミ、ペーパナイフよりも更に携帯性が良くない。
【０００５】
本発明の目的は、携帯性に優れ、持ち運びが容易であるとともに、封筒を容易に開封することができる開封具を提供することである。
【０００６】
【課題を解決するための手段】
本発明の請求項１に記載の開封具は、封筒を開封するための刃部材と、前記刃部材を収容するケース本体と、を備え、前記刃部材は、前記ケース本体に対して斜め方向に、前記ケース本体に収容される収納位置と前記ケース本体の一側面から突出する開封位置との間を前記斜め方向に移動自在に前記ケース本体に装着され、前記刃部材の刃部が前記斜め方向に延びていることを特徴とする。
【０００７】
この開封具においては、刃部材はケース本体に対して斜め方向に装着され、刃部材の刃部はこの斜め方向に延びているので、開封切断するための刃部は封筒の開封部に対して斜め方向に作用するようになり、それ故に、封筒に対してケース本体を相対的に所定方向に移動させることによって、刃部材の刃部が食い込むように作用し、開封部を容易に且つ確実に切断開封することができる。また、刃部材が収納位置と開封位置との間を移動自在であるので、収納位置においては、刃部材がケース本体に収納され、取扱い時（例えば、携帯時）の安全性を確保することができ、また開封時においては、刃部材がケース本体から突出し、刃部材の刃部を封筒の開封部に作用させて切断することができる。加えて、刃部材の突出量を調節する（収納位置と開封位置との間の適宜の位置に位置付ける）ことによって、刃部材の開封部に作用する切断部位が変わり、刃部の摩耗を抑えながら安定して開封することができる。
【０００８】
また、本発明の請求項２に記載の開封具では、前記ケース本体には、前記刃部材を前記収納位置に向けて弾性的に偏倚する弾性偏倚手段が装着されていることを特徴とする。
【０００９】
この開封具においては、刃部材は弾性偏倚手段により収納位置に向けて弾性的に偏倚されるので、不使用時には刃部材は収納位置に保持され、携帯時などの安全性を確保することができる。尚、弾性偏倚部材としては、例えば、ねじりばね、ねじりコイルばね、板ばねなどを用いることができる。
【００１０】
また、本発明の請求項３に記載の開封具では、前記ケース本体には、前記刃部材の移動経路の一部を貫通して孔が設けられていることを特徴とする。
この開封具においては、刃部材の移動経路の一部に孔が設けられているので、切断などの際に刃部材の刃部に付着した紙粉などは、かかる孔を通して外部に落ち、紙粉による詰まりを防止して刃部材の移動をスムースに行うことができる。
【００１１】
また、本発明の請求項４に記載の開封具では、前記ケース本体の前記一側面は略Ｖ字状に形成され、その幅方向両端から中央部に向けて凹状に傾斜しており、前記刃部材は前記ケース本体の前記一側面の底部に配設されていることを特徴とする。
【００１２】
この開封具においては、ケース本体の一側面は略Ｖ字状に形成され、刃部材はこの凹状部の底部に配設されているので、封筒の開封部はこの凹状部の底部に沿って案内され、この開封部を直線状に保つことがで、また、開封部をこのように保つことによって、刃部材の刃部が封筒の開封部に確実に且つ安定して作用し、従って、開封部をより確実に開封切断することができる。
【００１３】
また、本発明の請求項５に記載の開封具では、前記ケース本体には、前記刃部材を覆うためのカバー部材が設けられていることを特徴とする。
この開封具においては、ケース本体にカバー部材が設けられているので、刃部材はこのカバー部材によって覆われ、携帯時などにおける安全性を一層高めることができる。尚、このようなカバー部材は、ケース本体に一体的に設けるようにしてもよく、或いはケース本体に着脱自在に取り付けるようにしてもよい。
【００１４】
【発明の実施の形態】
以下、添付図面を参照して、更に詳細に説明する。
第１の実施形態
まず、図１〜図４を参照して、本発明に従う開封具の第１の実施形態について説明する。図１は、第１の実施形態の開封具を示す正面図であり、図２は、図１の開封具の側面図であり、図３は、図１の開封具を分解して示す分解斜視図であり、図４は、図１の開封具の第１部材に刃部材などを装着した状態を示す部分組立図である。
【００１５】
図１及び図２において、図示の開封具２は矩形状のケース本体４を備え、このケース本体４に切断開封するための刃部材６が装着されている。この形態では、ケース本体４は相互に組み合わされる第１及び第２部材８，１０から構成され、第１及び第２部材８，１０が連結用ねじ（図示せず）、接着剤などを用いて組み合わされる。
【００１６】
図３及び図４をも参照して、刃部材６は、第１及び第２部材８，１０間にケース本体４に対して斜め方向、ケース本体４の一側面（図１〜図４において上側面）に対して所定角度（３０〜６０度程度の角度であって、例えば４５度）に移動自在に装着されている。この形態では、第２部材１０の内面に刃部材６の移動経路１２が設けられ、この移動経路１２は上記斜め方向に直線状にケース本体４の一側面から他側面まで延び、この移動経路１２内に刃部材６が収容され、従って、刃部材６は移動経路１２内をこれに沿って斜め方向に移動自在に取り付けられる。
【００１７】
第１及び第２部材８，１０の移動経路１２を規定する部位には、上記斜め方向に延びる細長い案内孔１４，１６が設けられている。また、刃部材６の基部には貫通孔１８が設けられ、操作体２０が第１部材８の案内孔１４、刃部材６の貫通孔１８及び第２部材１０の案内孔１６を通して取り付けられている。この形態では、操作体２０は、円形状の操作部２２及びこの操作部２２から延びるねじ軸２４を有する第１操作部材２６と、円形状の操作部２８及びこの操作部２８の内面に設けられた被案内突部３０を有する第２操作部材３２とから構成され、被案内突部３０に雌ねじ部３４が設けられている。このような操作体２０では、第２操作部材３２の被案内突部３０が第１部材１０の案内孔１６内に挿入され、第１操作部材２６のねじ軸２４を第１部材８の案内孔１４及び刃部材６の貫通孔１８を通して第２操作部材３２の雌ねじ部３４に螺着することによって、操作体２０及び刃部材６がケース本体４に取り付けられる。
【００１８】
このように構成されるので、操作体２０及び刃部材６は、図１及び図２に実線で示す（刃部材は図１に破線で示す）収納位置と図１及び図２に一点鎖線で示す開封位置との間を移動自在である。この形態では、第２操作部材３２の被案内突部３０が第２部材１０の案内孔１６に受け入れられているので、被案内突部３０が案内孔１６に沿って移動することによって上記所定斜め方向に移動し、収納位置においては、被案内突部３０の一端部（図３において右端部）が案内孔１６の一端（図３において右端）に当接し、この収納位置を越える移動が阻止される。この収納位置においては、刃部材６がケース本体４内に実質上収容され、取扱い時などにおいて、刃部材６により手などが傷付くことが防止される。また、開封位置においては、被案内突部３０の他端部（図３において左端部）が案内孔１６の他端（図３において左端）に当接し、この開封位置を越える移動が阻止される。この開封位置においては、刃部材６の先端部がケース本体６の一側面から外方に突出し、刃部材６により封筒３６の開封部３８を後述するように開封することができる。尚、刃部材６については、安全性を高めるために、その先端部角部を丸くなるように加工するのが望ましい。また、操作体２０については、その操作性を向上するために、第１及び第２操作部材２６，３２の操作部２２，２８の外面（指ど押圧操作する部位）の例えば中央部が凸状に形成される。
【００１９】
この形態では、刃部材６の刃部４０は、その一側部（図１及び図２において左下側部）にその長手方向に設けられ、刃部４０は上記斜め方向に延びている。このような刃部材６としては、市販されている折る刃カッタを用いることができる。この刃部材６に関連して、ケース本体４に弾性偏倚手段が取り付けられ、この例では、弾性偏倚手段はねじりばね４２から構成されている。第２部材１０の内面には、刃部材６の移動経路１２に連通するように三角状の収容凹部４４が設けられ、この収容凹部４４にねじりばね４２が収容されている。収容凹部４４には取付軸部４６が設けられ、この取付軸部４６にねじりばね４２のリング状の中央取付部４８が取り付けられ、ねじりばね４２の一端部５０が収容凹部４４を規定する側壁部に当接され、その他端部５０が第１操作部材２６のねじ軸２４に作用するように構成されている（図４参照）。従って、刃部材６は、このねじりばね４２の弾性偏倚作用によって収納位置に向けて偏倚され、この収納位置に弾性的に保持される。
【００２０】
刃部材６が突出するケース本体４の一側面は、その幅方向（図１において紙面に垂直な方向、図２において左右方向）に略Ｖ字状に形成され、幅方向両端から中央部に向けて凹状に直線状に傾斜しており、刃部材６は、この一側面の凹状部の底部に、即ち第１部材８と第２部材１０との間に設けられている。開封すべき封筒３６の開封部３８は、ケース本体４の一側面に沿って相対的に移動され、この一側面が略Ｖ字状に形成されているので、開封部３８は一側面の凹状部の底部によって直線状に保持され、刃部材６が開封部３８に安定的に確実に作用するようになる。
【００２１】
この実施形態では、更に、ケース本体４には、刃部材６の移動経路１２の一部、好ましくは刃部４０の移動経路部を貫通して孔５４が設けられている。封筒３６の開封部３８を切断開封すると、刃部材６の刃部４０に紙粉が付着するおそれがあるが、このように孔５４を設けることによって、刃部材６の移動時に刃部４０に付着した紙粉がこの孔５４を通して外部に排出され、これによって、収納位置と開封位置との間の刃部材６のスムースな移動が可能となる。尚、図示の形態では孔５４を１個設けているが、刃部材６の移動経路１２にその移動方向に沿って２個以上設けるようにしてもよい。
【００２２】
ケース本体４の所定部位、この形態では、第１部材８に円形状の永久磁石５６が設けられている。このように永久磁石５６を設けることによって、机などが例えばスチール製である場合、永久磁石５６を利用して開封具２を机の所望部位に磁気的に吸着させて保管することができる。
【００２３】
上述した開封具２による開封操作は、例えば、次のようにして行うことができる。封筒３６は、書類などが収容される袋部６２と、この袋部６２の開口を封するための折曲封部６４とを有し、書類などの郵送物を郵送する場合、郵送物を袋部６２に収容した後に折曲封部６４を袋部６２側に折曲して糊、粘着テープなどで貼り付けて封をするようになる。このように封した封筒３６を開封するには、図１に示すように、操作体２０を図１に実線で示す位置から図１に一点鎖線で示す位置に移動させて刃部材６を収納位置から開封位置に保持する。そして、封筒３６の開封部３８（即ち、封した際に生じる袋部６２と折曲封部６４との間の間隙）に、ケース本体４から突出する刃部材６の先端部を挿入し、封筒３６に対して開封具２を矢印６６で示す方向に相対的に移動させればよい。尚、封筒３６の開封部３８が完全に塞がれている場合、この開封部３８の一部を少し折り曲げて刃部材６で切断し、その後切断した開封部３８に刃部材６の先端部を挿入して移動させるようにすればよい。かく移動させると、刃部材６がケース本体４から斜め方向に突出しているので、刃部材６の刃部４０が封筒３６の開封部３８に食い込むように作用し、刃部４０の切断作用により封筒３６の開封部３８を切断開封することができる。このとき、封筒３６の開封部３８はケース本体４の一側面の略Ｖ字状の底部に沿って相対的に移動されるので、刃部材６の刃部４０は開封部３８に安定して作用し、この開封部３８を所要の通りに開封することができる。
【００２４】
封筒３６を開封するときには、刃部材６を必ず開封位置に保持しなければならいというものでもなく、刃部材６の刃部４０の先端部が封筒３６の開封部３８に作用する位置に保持するようにすればよく、収納位置と開封位置との間の適宜の位置に保持するようにしても開封部３８を開封することができる。このように適宜の位置に保持して開封することによって、刃部材６の刃部４０の特定部位が開封部３８に常時作用するのを防止し、上記特定部位の摩耗を抑えて長期にわたって安定して切断開封することができる。
【００２５】
第２の実施形態
次に、図５及び図６を参照して、本発明に従う開封具の第２の実施形態について説明する。図５は、第２の実施形態の開封具を示す正面図であり、図６は、図５の開封具の側面図である。尚、以下の実施形態において、第１の実施形態と実質上同一のものには同一の参照番号を付し、その説明を省略する。
【００２６】
図５及び図６において、この第２の実施形態では、開封具２Ａのケース本体４Ａに、刃部材６を覆うためのカバー部材７１が設けられている。カバー部材７１は、ケース本体４Ａの一側面の幅方向両端部に設けられた一対のカバー壁部７２，７４から構成され、一方のカバー壁部７２が第１部材８Ａと一体的に形成され、他方のカバー壁部７４が第２部材１０Ａと一体的に形成されてる。このようなカバー壁部７２，７４はケース本体４の全長（切断方向の全長）にわたって設けるようにしてもよいが、図５に示すように、刃部材６が突出する部分及びその近傍にわたって設けるようにしてもよい。第２の実施形態におけるその他の構成は、上述した第１の実施形態と実質上同一でよい。
【００２７】
このような開封具２Ａにおいては、カバー部材７１（即ち、一対のカバー壁部）が、ケース本体４Ａから突出する刃部材６の幅方向両側に位置してこれを覆うので、刃部材６が幅方向において外側に露出することがなく、取扱い時などにおける充分な安全性を確保することができる。
【００２８】
第３の実施形態
次に、図７及び図８を参照して、本発明に従う開封具の第３の実施形態について説明する。図７は、第３の実施形態の開封具を示す正面図であり、図７は、図７の開封具の一部を示す部分側面図である。
【００２９】
図７及び図８において、この第３の実施形態では、開封具２Ｂのケース本体４に、刃部材６を覆うためのカバー部材８１が着脱自在に設けられている。カバー部材８１は略半リング状のカバー本体８２から構成され、このカバー本体８２は弾性を有する合成樹脂材料、金属材料などから形成され、その弾性作用を利用してケース本体４の一側部に装着される。このようなカバー本体８２は、図７に示すように、ケース本体４の全長（切断方向の全長）にわたって覆うような大きさにしてもよいが、収納状態のときに位置する刃部材６の先端部及びその近傍にわたって覆うような大きさにしてもよい。第３の実施形態におけるその他の構成は、上述した第１の実施形態と実質上同一でよい。
【００３０】
このような開封具２Ｂにおいては、不使用時、ケース本体４の一側部にカバー部材８１が着脱自在にされ、かく装着されたカバー部材８１はケース本体４の一側面から突出する刃部材６の先端部の上方を覆い、従って、刃部材６が外部に実質上露出することがなく、このように構成しても、取扱い時などにおける充分な安全性を確保することができる。尚、開封時、カバー部材８１はケース本体４から取り外され、このようにすることによって、刃部材６が外部に露出し、上述したと同様にして封筒３６の開封部３８を切断開封することができる。
【００３１】
以上、本発明に従う開封具の実施形態について説明したが、本発明はかかる実施形態に限定されるものではなく、本発明の範囲を逸脱することなく種々の変形乃至修正が可能である。
【００３２】
例えば、図示の実施形態では、刃部材６の移動経路１２及びねじりばね４２の収容凹部４４を第２部材１０の内面に設けているが、第２部材１０に代えて第１部材８に設けるようにしてもよく、或いは第１及び第２部材８，１０の内面に設けるようにしてもよく、第１及び第２部材８，９に設けることによって、刃部材６はケース本体４のＶ字状部の幅方向中央に位置するようになる。
【００３３】
また、例えば、図示の実施形態では、操作体２０の操作部２２，２８をケース本体４の両側に設けているが、例えば被案内突部３０を第１操作部材２６の操作部２２に設け、この被案内突部３０を第１部材８の案内孔１４に移動自在に挿入するようにしてもよく、このような場合、第２操作部材３２を省略することができる。
【００３４】
【発明の効果】
本発明の請求項１に記載の開封具によれば、刃部材はケース本体に対して斜め方向に装着され、刃部材の刃部はこの斜め方向に延びているので、この刃部が食い込むように作用し、開封部を容易に且つ確実に切断開封することができる。また、刃部材が収納位置と開封位置との間を移動自在であるので、収納位置においては、刃部材がケース本体に収納され、取扱い時の安全性を確保することができ、また開封時においては、刃部材がケース本体から突出し、刃部材の刃部を封筒の開封部に作用させて切断することができる。
【００３５】
また、本発明の請求項２に記載の開封具によれば、刃部材が弾性偏倚手段により収納位置に向けて弾性的に偏倚されるので、不使用時には刃部材は収納位置に保持され、携帯時などの安全性を確保することができる。
【００３６】
また、本発明の請求項３に記載の開封具によれば、刃部材の移動経路の一部に孔が設けられているので、切断などの際に刃部材の刃部に付着した紙粉などは、かかる孔を通して外部に落ち、紙粉による詰まりを防止して刃部材の移動をスムースに行うことができる。
【００３７】
また、本発明の請求項４に記載の開封具によれば、ケース本体の一側面は略Ｖ字状に形成され、刃部材はこの凹状部の底部に配設されているので、封筒の開封部はこの凹状部の底部に沿って案内され、刃部材の刃部が封筒の開封部に安定して作用し、従って、開封部を確実に開封切断することができる。
【００３８】
また、本発明の請求項５に記載の開封具によれば、ケース本体にカバー部材が設けられているので、携帯時などにおける安全性を一層高めることができる。
【図面の簡単な説明】
【図１】第１の実施形態の開封具を示す正面図である。
【図２】図１の開封具の側面図である。
【図３】図１の開封具を分解して示す分解斜視図である。
【図４】図１の開封具の第１部材に刃部材などを装着した状態を示す部分組立図である。
【図５】第２の実施形態の開封具を示す正面図である。
【図６】図５の開封具の側面図である。
【図７】第３の実施形態の開封具を示す正面図である。
【図８】図７の開封具の一部を示す部分側面図である。
【符号の説明】
２，２Ａ，２Ｂ  開封具
４，４Ａ  ケース本体
６  刃部材
１２  移動経路
２０  操作体
３６  封筒
３８  開封部
４０  刃部
４２  ねじりばね
５４  孔
５６  永久磁石
７１，７２  カバー部材
【図１】
2004345336.tif 000003
【図２】
2004345336.tif 000004
【図３】
2004345336.tif 000005
【図４】
2004345336.tif 000006
【図５】
2004345336.tif 000007
【図６】
2004345336.tif 000008
【図７】
2004345336.tif 000009
【図８】
2004345336.tif 000010